(57)【特許請求の範囲】
【請求項１】
建築物の施工面に貼付して発泡ウレタン樹脂の断熱層を形成するための断熱層形成用シートであって、該断熱層形成用シートは、隣接状態にあり且つ外的要因によって溶融する複数のチューブ状部から形成され、該チューブ状部には、混合することにより発熱して発泡ウレタン樹脂を形成するポリオール系原液とポリイソシアネート系原液とを交互に封入したことを特徴とする断熱層形成用シート。
【請求項２】
断熱層形成用シートは、水溶性のゼラチン単膜又は水溶性ポリマーで形成されていることを特徴とする請求項１に記載の断熱層形成用シート。
【請求項３】
建築物の施工面に貼付して発泡ウレタン樹脂の断熱層を形成するための断熱層形成用シートであって、該断熱層形成用シートは、隣接状態にあり且つ外的要因によって溶融する複数のチューブ状部から形成され、該チューブ状部には、ポリオール系原液又はポリイソシアネート系原液を封入すると共に熱破壊性のマイクロカプセルが封入されており、該マイクロカプセルには、ポリオール系原液又はポリイソシアネート系原液が封入されていることを特徴とする断熱層形成用シート。
【請求項４】
混合することにより発熱して発泡ウレタン樹脂を形成するポリオール系原液とポリイソシアネート系原液とが交互に封入され且つ外的要因によって溶融する複数のチューブ状部からなる断熱層形成用シートを所定の施工面に貼付し、該断熱層形成用シートの一部を破断又は溶融して前記ポリオール系原液とポリイソシアネート系原液とを混合して発熱させ、該発熱によりチューブ状部を連鎖的に溶融させてポリオール系原液とポリイソシアネート系原液とを順次混合させることによって、施工面に発泡ウレタン樹脂の断熱層を形成することを特徴とする断熱層形成用シートの施工方法。
【請求項５】
断熱層形成用シートは、水溶性のゼラチン単膜又は水溶性ポリマーで形成されていることを特徴とする請求項４に記載の断熱層形成用シートの施工方法。
【請求項６】
隣接状態にあり且つ外的要因によって溶融する複数のチューブ状部から形成され、該チューブ状部には、ポリオール系原液又はポリイソシアネート系原液を封入すると共に熱破壊性のマイクロカプセルが封入されており、該マイクロカプセルには、ポリオール系原液又はポリイソシアネート系原液が封入されている断熱層形成用シートを所定の施工面に貼付し、該断熱層形成用シートの一部を加熱して前記マイクロカプセルを破壊することにより前記ポリオール系原液とポリイソシアネート系原液とを混合して発熱させ、該発熱によりマイクロカプセルを連鎖的に溶融させてポリオール系原液とポリイソシアネート系原液とを順次混合させることによって、施工面に発泡ウレタン樹脂の断熱層を形成することを特徴とする断熱層形成用シートの施工方法。
【発明の詳細な説明】
【０００１】
【発明の属する技術分野】
本発明は、建築物における壁面、屋根、床等の施工面に発泡ウレタン樹脂からなる断熱層を形成するための断熱層形成用シート、及び該シートの施工方法に関するものである。
【０００２】
【従来の技術】
従来、ビルディングやマンション、低温倉庫等の壁面等に断熱層を形成する場合には、図９に示すように、施工面１にスプレーガン２を用いて発泡ウレタン樹脂３を所定の厚さに吹き付け、断熱層４を形成している。
【０００３】
【発明が解決しようとする課題】
この従来例の発泡ウレタン樹脂の吹き付け作業においては、施工面以外の位置にも発泡ウレタン樹脂が飛散し付着してしまうので、吹き付けが必要ない位置をビニールシートで覆う等の養生作業が必要であり、手間が掛かり作業性が悪いという問題点を有していた。
【０００４】
更に、吹き付け作業完了後には、養生に使用したビニールシートを廃棄しなければならず、産業廃棄物が増加するという問題点もあった。
【０００５】
また、吹き付け作業を行う建物の開口部は、発泡ウレタン樹脂の飛散を防止するために、ビニールシート等の養生材で塞いでしまうので、建物内に他の施工業者の立ち入りが制限される。従って、他の施工業者との作業工程の調整が厄介且つ作業能率が悪いという不都合もあった。
【０００６】
そして、作業中には、発泡ウレタン樹脂が浮遊するので、換気設備を設ける必要があり、更に、作業者においては、マスクや保護具等を着用する必要があり、重装備になって作業性が悪くなるという欠点も有していた。
【０００７】
更にまた、作業場所には、コンプレッサー等の吹き付け機械やスプレーガン等の種々の器具を必要とし、これら機械器具の管理が面倒且つ厄介であるという欠点もあった。
【０００８】
従って、従来例の発泡ウレタン樹脂の吹き付け作業においては、発泡ウレタン樹脂の飛散、浮遊を防止すると共に、作業を簡単に能率良く行うことに解決しなければならない課題を有している。
【０００９】
【課題を解決するための手段】
前記従来例の課題を解決する具体的手段として本発明は、建築物の施工面に貼付して発泡ウレタン樹脂の断熱層を形成するための断熱層形成用シートであって、該断熱層形成用シートは、隣接状態にあり且つ外的要因によって溶融する複数のチューブ状部から形成され、該チューブ状部には、混合することにより発熱して発泡ウレタン樹脂を形成するポリオール系原液とポリイソシアネート系原液とを交互に封入したことを特徴とする断熱層形成用シートを提供するものである。
【００１０】
そして、前記断熱層形成用シートは、水溶性のゼラチン単膜又は水溶性ポリマーで形成されている構成としたものである。
【００１１】
また、建築物の施工面に貼付して発泡ウレタン樹脂の断熱層を形成するための断熱層形成用シートであって、該断熱層形成用シートは、隣接状態にあり且つ外的要因によって溶融する複数のチューブ状部から形成され、該チューブ状部には、ポリオール系原液又はポリイソシアネート系原液を封入すると共に熱破壊性のマイクロカプセルが封入されており、該マイクロカプセルには、ポリオール系原液又はポリイソシアネート系原液が封入されていることを特徴とする断熱層形成用シートを提供するものである。
【００１２】
更に、混合することにより発熱して発泡ウレタン樹脂を形成するポリオール系原液とポリイソシアネート系原液とが交互に封入され且つ外的要因によって溶融する複数のチューブ状部からなる断熱層形成用シートを所定の施工面に貼付し、該断熱層形成用シートの一部を破断又は溶融して前記ポリオール系原液とポリイソシアネート系原液とを混合して発熱させ、該発熱によりチューブ状部を連鎖的に溶融させてポリオール系原液とポリイソシアネート系原液とを順次混合させることによって、施工面に発泡ウレタン樹脂の断熱層を形成することを特徴とする断熱層形成用シートの施工方法を提供するものである。
【００１３】
そして、前記断熱層形成用シートは、水溶性のゼラチン単膜又は水溶性ポリマーで形成されているものである。
【００１４】
更にまた、隣接状態にあり且つ外的要因によって溶融する複数のチューブ状部から形成され、該チューブ状部には、ポリオール系原液又はポリイソシアネート系原液を封入すると共に熱破壊性のマイクロカプセルが封入されており、該マイクロカプセルには、ポリオール系原液又はポリイソシアネート系原液が封入されている断熱層形成用シートを所定の施工面に貼付し、該断熱層形成用シートの一部を加熱して前記マイクロカプセルを破壊することにより前記ポリオール系原液とポリイソシアネート系原液とを混合して発熱させ、該発熱によりマイクロカプセルを連鎖的に溶融させてポリオール系原液とポリイソシアネート系原液とを順次混合させることによって、施工面に発泡ウレタン樹脂の断熱層を形成することを特徴とする断熱層形成用シートの施工方法を提供するものである。
【００１５】
【発明の実施の形態】
次に、本発明を実施する一例について図面を参照しながら説明する。まず、図１及び図２に示した第１実施例において、符号１１は断熱層形成用シートを示し、この断熱層形成用シート１１は、ビニール等の熱溶融性を有する合成樹脂材から形成される。
【００１６】
そして、断熱層形成用シート１１は、隣接状態に並列した多数のチューブ状部１２から形成されており、このチューブ状部１２は複数に区切られて、全体的に格子状に形成されている。
【００１７】
チューブ状部１２には、混合することにより発熱して発泡ウレタン樹脂を形成するポリオール系原液１３とポリイソシアネート系原液１４とが交互に且つ隣接して封入されている。
【００１８】
次に、前記の断熱層形成用シート１１を用いて施工面に発泡ウレタン樹脂の断熱層を形成する施工方法について説明する。まず、図３に示すように、断熱層形成用シート１１を施工面１５に接着剤１６で仮止めする。
【００１９】
その後、図４に示すように、針付きローラ１７等の工具を使用して断熱層形成用シート１１の一部を破断することにより、前記ポリオール系原液１３とポリイソシアネート系原液１４とを混合して発熱させる。
【００２０】
そして、前記発熱によりチューブ状部１２を連鎖的に溶融させてポリオール系原液１３とポリイソシアネート系原液１４とを順次混合させることによって（図５参照）発泡ウレタン樹脂を形成し、施工面１５に断熱層１５ａを形成するのである（図６参照）。
【００２１】
次に、断熱層形成用シートの第２実施例及び施工方法について説明する。この第２実施例の断熱層形成用シート１８は、隣接状態に並列した多数のチューブ状部から形成されており、このチューブ状部は複数に区切られて、全体的に格子状に形成されている。また、このチューブ状部には、ポリオール系原液とポリイソシアネート系原液とが交互に且つ隣接して封入されている。
【００２２】
そして、断熱層形成用シート１８は、全体的に水溶性のゼラチン単膜又は水溶性ポリマーで形成されており、裏面には、水溶性の接着剤が塗布されている。
【００２３】
この断熱層形成用シート１８を用いて施工面に発泡ウレタン樹脂の断熱層を形成する場合には、図７に示すように、断熱層形成用シート１８の裏面１８ａに噴霧器１９等を使用して水２０を散布しつつ施工面１５に貼付する。
【００２４】
そして、水溶性のゼラチン単膜又は水溶性ポリマーで形成された断熱層形成用シート１８は、水２０により溶け、ポリオール系原液とポリイソシアネート系原液とが順次混合され発熱し、更に連鎖的に溶融して施工面１５に発泡ウレタン樹脂の断熱層を形成することができる。
【００２５】
尚、断熱層形成用シート１８は、施工面１５に接着剤で仮止めしてから、シート全体に水を散布しても良いことは勿論である。
【００２６】
次に、断熱層形成用シートの第３実施例及び施工方法について説明する。この第３実施例の断熱層形成用シート２１は、図８に示すように、隣接状態に並列した多数のチューブ状部２２から形成されており、このチューブ状部２２は複数に区切られて、全体的に格子状に形成されている。また、このチューブ状部２２には、ポリオール系原液１３又はポリイソシアネート系原液１４が封入されている。
【００２７】
更に、チューブ状部２２には、熱破壊性のマイクロカプセル２３が封入されており、このマイクロカプセル２３の内部には、ポリイソシアネート系原液１４又はポリオール系原液１３が封入されている。
【００２８】
マイクロカプセル２３は、イソブタン、ペンタン、石油エーテル、ヘキサン、低沸点ハロゲン化炭化水素等を塩化ビニリデン、アクリロニトリル、アクリル酸エステル等の熱可塑性樹脂で包み込んだ、粒径が１０〜３０μｍ程度のものであり、所定の温度に加熱すると膨張し破壊される性質を有し、具体的には、例えば「マツモトマイクロスフェアーＦ（商品名）」（松本油脂製薬株式会社製）を用いればよい。
【００２９】
この断熱層形成用シート２１を用いて施工面に発泡ウレタン樹脂の断熱層を形成する場合には、断熱層形成用シート２１を施工面に接着剤等で仮止めしてから、所定の加熱器具又はマイクロ波を利用して、断熱層形成用シート２１の一部を加熱し、マイクロカプセル２３を破壊する。
【００３０】
そして、ポリオール系原液１３とポリイソシアネート系原液１４とを混合して発熱させ、この発熱によりマイクロカプセル２３を連鎖的に溶融させてポリオール系原液１３とポリイソシアネート系原液とを順次混合させることにより発泡ウレタン樹脂を形成し、施工面に断熱層を形成するのである。
【００３１】
以上のような方法により、施工面に断熱層を形成すれば、発泡ウレタン樹脂の飛散、浮遊を防止することができる共に、作業を簡単に能率良く行うことができるのである。
【００３２】
【発明の効果】
以上説明したように本発明に係る断熱層形成用シートは、建築物の施工面に貼付して発泡ウレタン樹脂の断熱層を形成するための断熱層形成用シートであって、該断熱層形成用シートは、隣接状態にあり且つ外的要因によって溶融する複数のチューブ状部から形成され、該チューブ状部には、混合することにより発熱して発泡ウレタン樹脂を形成するポリオール系原液とポリイソシアネート系原液とを交互に封入したことによって、断熱層形成用シートを所定の施工面に貼付し、該断熱層形成用シートの一部を破断して前記ポリオール系原液とポリイソシアネート系原液とを混合して発熱させ、該発熱によりチューブ状部を連鎖的に溶融させてポリオール系原液とポリイソシアネート系原液とを順次混合させることにより、施工面に発泡ウレタン樹脂の断熱層を形成することができる。従って、発泡ウレタン樹脂の飛散、浮遊を防止することができる共に、作業を簡単に能率良く行うことができるという優れた効果を奏する。
【００３３】
そして、断熱層形成用シートは、水溶性のゼラチン単膜又は水溶性ポリマーで形成されていることによって、断熱層形成用シートを所定の施工面に貼付して、水などを散布すれば、チューブ状部が連鎖的に溶融してポリオール系原液とポリイソシアネート系原液とが順次混合され、施工面に発泡ウレタン樹脂の断熱層を形成することができる。従って、発泡ウレタン樹脂の飛散、浮遊を防止することができると共に、作業を簡単に能率良く行うことができるという優れた効果を奏する。
【００３４】
また、本発明に係る断熱層形成用シートは、建築物の施工面に貼付して発泡ウレタン樹脂の断熱層を形成するための断熱層形成用シートであって、該断熱層形成用シートは、隣接状態にあり且つ外的要因によって溶融する複数のチューブ状部から形成され、該チューブ状部には、ポリオール系原液又はポリイソシアネート系原液を封入すると共に熱破壊性のマイクロカプセルが封入されており、該マイクロカプセルには、ポリオール系原液又はポリイソシアネート系原液が封入されていることによって、断熱層形成用シートを所定の施工面に貼付し、該断熱層形成用シートの一部を加熱して前記マイクロカプセルを破壊することにより前記ポリオール系原液とポリイソシアネート系原液とを混合して発熱させ、該発熱によりマイクロカプセルを連鎖的に溶融させてポリオール系原液とポリイソシアネート系原液とを順次混合させることにより、施工面に発泡ウレタン樹脂の断熱層を形成することができる。従って、加熱器具等を使用して簡単に作業を行うことができ、そして、発泡ウレタン樹脂の飛散、浮遊を防止することができるという優れた効果を奏する。
【００３５】
更に、本発明に係る断熱層形成用シートの施工方法は、混合することにより発熱して発泡ウレタン樹脂を形成するポリオール系原液とポリイソシアネート系原液とが交互に封入され且つ外的要因によって溶融する複数のチューブ状部からなる断熱層形成用シートを所定の施工面に貼付し、該断熱層形成用シートの一部を破断又は溶融して前記ポリオール系原液とポリイソシアネート系原液とを混合して発熱させ、該発熱によりチューブ状部を連鎖的に溶融させてポリオール系原液とポリイソシアネート系原液とを順次混合させることによって、施工面に発泡ウレタン樹脂の断熱層を形成することにより、発泡ウレタン樹脂の飛散、浮遊を防止することができる共に、作業を簡単に能率良く行うことができるという優れた効果を奏する。
【００３６】
また、本発明に係る断熱層形成用シートの施工方法は、隣接状態にあり且つ外的要因によって溶融する複数のチューブ状部から形成され、該チューブ状部には、ポリオール系原液又はポリイソシアネート系原液を封入すると共に熱破壊性のマイクロカプセルが封入されており、該マイクロカプセルには、ポリオール系原液又はポリイソシアネート系原液が封入されている断熱層形成用シートを所定の施工面に貼付し、該断熱層形成用シートの一部を加熱して前記マイクロカプセルを破壊することにより前記ポリオール系原液とポリイソシアネート系原液とを混合して発熱させ、該発熱によりマイクロカプセルを連鎖的に溶融させてポリオール系原液とポリイソシアネート系原液とを順次混合させることによって、施工面に発泡ウレタン樹脂の断熱層を形成することにより、加熱器具等を使用して簡単に作業を行うことができ、そして、発泡ウレタン樹脂の飛散、浮遊を防止することができるという優れた効果を奏する。
【図面の簡単な説明】
【図１】本発明に係る第１実施例の断熱層形成用シートの斜視図である。
【図２】本発明に係る第１実施例の断熱層形成用シートの一部を拡大して示した断面図である。
【図３】第１実施例の断熱層形成用シートを施工面に仮止めする状態を示す説明図である。
【図４】第１実施例の断熱層形成用シートを破断する状態を示す説明図である。
【図５】断熱層形成用シートが連鎖的に溶融する状態を理論的に拡大して示した施工面の断面図である。
【図６】施工面に断熱層が形成された状態を説明する断面図である。
【図７】第２実施例の断熱層形成用シートを施工面に貼付する状態を示す説明図である。
【図８】本発明に係る第３実施例の断熱層形成用シートの一部を理論的に拡大して示した断面図である。
【図９】従来例に係る発泡ウレタン樹脂の吹き付け作業を示す説明図である。
【符号の説明】
１    施工面
２    スプレーガン
３    発泡ウレタン樹脂
４    断熱層
１１  断熱層形成用シート
１２  チューブ状部
１３  ポリオール系原液
１４  ポリイソシアネート系原液
１５  施工面
１５ａ断熱層
１６  接着剤
１７  針付きローラ
１８  断熱層形成用シート
１８ａ裏面
１９  噴霧器
２０  水
２１  断熱層形成用シート
２２  チューブ状部
２３  マイクロカプセル
【図１】
0003711307.tif 000002
【図２】
0003711307.tif 000003
【図３】
0003711307.tif 000004
【図４】
0003711307.tif 000005
【図５】
0003711307.tif 000006
【図６】
0003711307.tif 000007
【図７】
0003711307.tif 000008
【図８】
0003711307.tif 000009
【図９】
0003711307.tif 000010